(57)【特許請求の範囲】
【請求項１】
上面板の周縁部に断面凹状をした下面板の周縁部を一体に接合固定して周縁にフランジを突設し、且つ該フランジに囲繞された下面板の内側面において、前記下面板の一部を上面板に圧着した圧着部により、巾および方向が空気の流通のある程度の障害となるよう形成された放射枠状の圧送通路を下方に突設し、更に上面板の全面に亘って多数の通気小孔を穿設すると共に、下面板の圧着部に前記上面板の通気小孔と連通する通気小孔を穿設して方形状のパネルボードを形成し、且つ該パネルボードを複数枚、スラブ上に所定間隔を有して複数本複数列に亘って立設された支持脚上に固定して平板状の床パネルを形成し、更に前記床パネル上に前記各パネルボードに穿設された通気小孔と貫通する通気小孔を穿設した床材を敷設する一方、前記スラブと該床パネル間に空気調和機で生成された冷・温風の空調エアを圧送する送気空間を設け、且つ該送気空間に圧送された前記冷・温風の空調エアで、前記床パネルを下面より冷却または加温して、該床パネルから冷気または暖気を部屋に放射する床放射冷暖房システムと、前記送気空間に圧送された冷・温風の空調エアを、前記空気調和機の送風圧により、各パネルボードの圧着部の通気小孔から床材の通気小孔を通して部屋へ吹き出すと共に、前記各パネルボードに連結された圧送手段を介して、該各パネルボードの中心に位置する圧送通路内に圧送して、該圧送通路上の通気小孔から床材の通気小孔を通して部屋へ吹き出し、且つ前記各パネルボードの隅角部に位置する圧送通路に穿設された排気孔から前記部屋へ吹き出されなかった残りの空調エアを前記送気空間に排気し、前記各通気小孔から部屋に吹き出された空調エアと部屋内の空気を置換して部屋内を冷却または加温し、前記部屋を冷・暖房した後の空気を還流口から前記空気調和機に吸引して再利用する置換空調冷暖房システムとの組合せより成ることを特徴とする全空気方式床冷暖房装置。
【請求項２】
圧送手段が、室外に設置されたエアコンプレッサーからの圧縮空気の送気により、該エアコンプレッサーと連通するエアインジェクターが送気空間内の冷・温風を吸引して各パネルボードの圧送通路に圧送するものである請求項１記載の全空気方式床冷暖房装置。
【請求項３】
圧送手段が、送気空間内に設置されたエアポンプからの送気により、該エアポンプと連通するエアインジェクターが送気空間内の冷・温風を吸引して各パネルボードの圧送通路に圧送するものである請求項１記載の全空気方式床冷暖房装置。
【発明の詳細な説明】
【０００１】
【発明の属する技術分野】
本発明は、空気調和機で生成された冷・温風の空調エアを使用した床放射冷暖房システムと、置換空調冷暖房システムとを組合せた全空気方式床冷暖房装置に関するものである。
【０００２】
【従来の技術】
従来、空調による冷・温風を使用した床放射冷暖房システムと置換空調冷暖房システムとを組合せた全空気方式床冷暖房装置は、実用に供されていなかった。そして、従来は、特許第２６０２１９４号公報に開示されているように、冷水および温水を生成する冷温水発生機よりの冷水または温水を床パネルの下面に、モルタル等の熱伝導率の高い被覆材に被覆されて配設された冷温水パイプに送水して、室内を冷暖房する床冷暖房装置と、冷風または温風を生成する空気調和機よりの冷風または温風を、前記床パネルの下面の送気通路に送気して、室内の端縁部の床パネルに開口された吹出し口より前記室内に送風して、冷風および温風により室内を冷暖房する床吹出し空調冷暖房装置との組み合わせによる床冷暖房装置が公知である。
【０００３】
【発明が解決しようとする課題】
しかしながら、前記従来公知の特許第２６０２１９４号公報に開示された床冷暖房装置では、冷水および温水を生成する冷温水発生機を使用するので、設置費用が高価となり、従って高額な冷暖房費となるという課題があった。
【０００４】
本発明は、前記課題を解決すべくなされたもので、従来のように冷温水発生機を使用することなく、空気調和機により生成された冷・温風の空調エアで冷暖房することにより、設備費用の軽減を図ることができる全空気方式床冷暖房装置を提供しようとするものである。
【０００５】
【課題を解決するための手段】
本発明は、上面板の周縁部に断面凹状をした下面板の周縁部を一体に接合固定して周縁にフランジを突設し、且つ該フランジに囲繞された下面板の内側面において、前記下面板の一部を上面板に圧着した圧着部により、巾および方向が空気の流通のある程度の障害となるよう形成された放射枠状の圧送通路を下方に突設し、更に上面板の全面に亘って多数の通気小孔を穿設すると共に、下面板の圧着部に前記上面板の通気小孔と連通する通気小孔を穿設して方形状のパネルボードを形成し、且つ該パネルボードを複数枚、スラブ上に所定間隔を有して複数本複数列に亘って立設された支持脚上に固定して平板状の床パネルを形成し、更に前記床パネル上に前記各パネルボードに穿設された通気小孔と貫通する通気小孔を穿設した床材を敷設する一方、前記スラブと該床パネル間に空気調和機で生成された冷・温風の空調エアを圧送する送気空間を設け、且つ該送気空間に圧送された前記冷・温風の空調エアで、前記床パネルを下面より冷却または加温して、該床パネルから冷気または暖気を部屋に放射する床放射冷暖房システムと、前記送気空間に圧送された冷・温風の空調エアを、前記空気調和機の送風圧により、各パネルボードの圧着部の通気小孔から床材の通気小孔を通して部屋へ吹き出すと共に、前記各パネルボードに連結された圧送手段を介して、該各パネルボードの中心に位置する圧送通路内に圧送して、該圧送通路上の通気小孔から床材の通気小孔を通して部屋へ吹き出し、且つ前記各パネルボードの隅角部に位置する圧送通路に穿設された排気孔から前記部屋へ吹き出されなかった残りの空調エアを前記送気空間に排気し、前記各通気小孔から部屋に吹き出された空調エアと部屋内の空気を置換して部屋内を冷却または加温し、前記部屋を冷・暖房した後の空気を還流口から前記空気調和機に吸引して再利用する置換空調冷暖房システムとの組合せるという手段を採用することにより、上記課題を解決した。
【０００６】
【発明の実施の形態】
本発明の実施の形態を図面に基づいて詳細に説明すると、図１は本発明全空気方式床冷暖房装置の第１の実施の形態を示す概略縦断面図である。すなわち、本発明全空気方式床冷暖房装置は、部屋Ｒの下面に設けられたコンクリート等のスラブ１上に、空気調和機２から冷・温風の空調エアを圧送する送気空間３を設けると共に、該送気空間３上にパネルボード４を複数枚接合固定して床パネルＰを形成し、且つ前記スラブ１と床パネルＰ間の送気空間３に、空気調和機２からの冷・温風の空調エアを圧送して、床パネルＰを冷却または加温し、該床パネルＰから冷気、または暖気を部屋Ｒに放射する床放射冷暖房システムと、前記床パネルＰを構成する各パネルボード４に多数穿設された通気小孔５から、前記空気調和機２と圧送手段６の送風圧により、前記送気空間３に送気された空気調和機２からの冷・温風の空調エアを、前記床パネルＰ上に敷設された床材７に穿設された通気小孔８を通して部屋Ｒに吹き出して、室内空気と置換して、部屋Ｒを冷却または加温する置換空調冷暖房システムとを組合せて構成されている。
【０００７】
前記スラブ１上に立設されて、上方にパネルボード４を固定する支持脚９は、図４に示すように、支柱１０の下端に、前記スラブ１上に設置固定する巾広の底板１１を備え、且つ該支柱１０の上端に、４枚の各パネルボード４の隅角端縁部を載置すると共に、前記各パネルボード４の隅角部を一体に接合固定する固定板１２が固定され、更に該固定板１２の強度を補強するために、前記支柱１０の上方部周面と前記固定板１２の底面間に椀状の補強板１３が連結固定されて形成されている。
【０００８】
前記パネルボード４は、熱伝導率のよい金属板、好ましくはアルミニウム板より成る上面板１４の周縁部に、断面凹状をした熱伝導率のよい金属板、好ましくはアルミニウム板より成る下面板１５の周縁部を一体に接合固定して、周縁にフランジ１６を突設すると共に、該フランジ１６に囲繞された下面板１５の内側面において、放射状通路と枠状通路とを連通して下方へ突出した、圧送手段６からの冷・温風の空調エアを圧送する放射枠状の圧送通路１７を設けると共に、該圧送通路１７部分以外の下面板１５は上面板１４に圧着して、前記圧送通路１７の巾および方向が空気の流通のある程度の障害となる圧着部１８を設けて方形状に形成されている。
【０００９】
前記放射枠状の圧送通路１７は、特に限定する必要はないが、好ましくは図３・図５・図６に示すように形成することが推奨される。すなわち、下面板１５において、中央に十字状の圧送通路１７ａを設けると共に、該十字状の圧送通路１７ａの各側面部の下面板１５を上面板１４に圧着して楕円形状の圧着部１８ａを形成し、前記十字状の圧送通路１７ａの各先方部には小巾の直角の圧送通路１７ｂを存して、下面板１５を上面板１４に圧着して、大きな三角形状の圧着部１８ｂが形成されると共に、該各三角形状の圧着部１８ｂ間に大巾の放射状の圧送通路１７ｃを前記圧送通路１７ｂに連通して設け、更に該大巾の放射状の圧送通路１７ｃの先方に、下面板１５を上面板１４に圧着して、小さな三角形状の圧着部１８ｃがそれぞれ形成される一方、前記大・小巾の三角形状の圧着部１８ｂ・１８ｃの外縁部に枠状の圧送通路１７ｄを、それぞれ前記放射状の圧送通路１７ｃに連通して形成されている。
【００１０】
また、前記パネルボード４を構成する上面板１４には、等間隔を有して多数の通気小孔５が穿設されると共に、下面板１５の前記各圧着部１８ａ〜１８ｃにも、前記上面板１４の通気小孔５と連通する通気小孔５が穿設されている。前記上面板１４における各通気小孔５全体の面積は、上面板１４全体の５％程度とすることが好ましい。なお、前記圧着部１８における上面板１４と下面板１５の各通気小孔５は、それぞれ連通されているため、下面板１５の通気小孔５全体の面積は、前記５％程度とするという基準には含まれていない。
【００１１】
そして、前記十字状の圧送通路１７ａの中心には、圧送手段６に連結する連結孔１９と、前記枠状の圧送通路１７ｄの各隅角部に、圧送通路１７内に圧送されて循環した冷・温風を排気する排気孔２０がそれぞれ穿設されている。
【００１２】
前記構成より成る前記各圧送通路１７ａ〜１７ｄは、いずれも連通されているので、前記連結孔１９から圧送手段６により、前記十字状の圧送通路１７ａ内に圧送された冷・温風の空調エアは、各圧送通路１７ａ〜１７ｄを流通して、該各圧送通路１７ａ〜１７ｄ上面の上面板１４の通気小孔５から吹出すと共に、該通気小孔５から吹き出されなかった残りの冷・温風が、各排気孔２０から送気空間３に排気される。
【００１３】
前記構成より成るパネルボード４の支持脚９の固定板１２への固定手段は、特に限定する必要はないが、好ましくは図４に示すようにして固定することが推奨される。
【００１４】
すなわち、図２・図３・図７に示すように、パネルボード４の各隅角部における各フランジ１６に、１／４円状の落込み段部２１をそれぞれ設けると共に、該各段部２１の各隅角部を１／４円状に切り欠いて切欠部２２がそれぞれ設けられている。
【００１５】
更に、前記構成より成るパネルボード４をその周縁部を互いに摺接すると共に、４枚のパネルボード４が互いに摺接する各隅角部の枠状の圧送通路１７ｄを前記支持脚９の固定板１２上に載置し、前記４枚のパネルボード４の各隅角部における突き合わせ部の落込み段部２１の形状が、全体として円状凹部２３を形成するようにすると共に、前記各切欠部２２の形状が全体として円形孔２４を形成するようにして、該円形孔２４を締付けボルト２５のガイド孔とするのである。
【００１６】
そして、前記円状凹部２３内に、中央に締付けボルト２５の頭部が没入する没入凹部２６を備え、且つ該没入凹部２６の中央に前記締付けボルト２５の挿入孔２７を貫通した前記円状凹部２３の深さと同一肉厚を有する円状の座板２８を嵌合して、該座板２８の挿入孔２７に締付けボルト２５を貫挿して、その先端を固定板１２の中央に貫通した螺挿孔２９に螺挿して、前記４枚のパネルボード４の隅角部が支持脚９の固定板１２に一体に固定されるのである。
【００１７】
以下、同様にして他の各４枚のパネルボード４の隅角部の枠状の圧送通路１７ｄ部を支持脚９の固定板１２に固定して、部屋Ｒのスラブ１上に送気空間３を存して平板状の床パネルＰが形成される。
【００１８】
前記床パネルＰとスラブ１間に形成された送気空間３に、図１に示すように、室外に設置された空気調和機２から、前記送気空間３内に先端を開口連通されているダクト３０を介して、冷・温風の空調エアを圧送するよう形成されているが、前記空気調和機２は一方の壁３１の外側に外壁３２を設けて形成された空気調和機室３３内に設置されており、また他方の壁３４の外側には、圧送手段６を構成するエアコンプレッサー３５が設置されている。なお、図示していないが、前記ダクト３０を設置することなく、直接空気調和機２と送気空間３とを連結してもよい。
【００１９】
そして、前記空気調和機室３３を構成する部屋Ｒ側の一方の壁３１の上方部には、部屋Ｒを冷・暖房した後の空気を空気調和機２が吸引して、該空気を再利用するための還流口３６が設けられている。
【００２０】
本発明は、前記空気調和機２により生成された冷・温風の空調エアを、送気空間３に圧送して、該送気空間３に圧送された冷・温風により各パネルボード４を下面より冷却または加温して、床パネルＰおよび該床パネルＰ上に直接敷設された床材７を冷却または加温して、該床パネルＰおよび床材７の冷気または暖気を放射する床放射冷暖房システムを構成する一方、各圧着部１８の通気小孔１７を介して、空気調和機２の送風圧により送気空間３の冷・温風を各パネルボード４上に吹き出すと共に、前記各パネルボード４の圧送通路１７の中心部に圧送手段６を介して前記送気空間３内の冷・温風を圧送して、該圧送通路１７内を流通させて、冷・温風を該圧送通路１７上の通気小孔６から、前記各パネルボード４上に吹き出し、更に前記床材７に前記パネルボード４の各通気小孔５と貫通するよう穿設された各通気小孔８を通して、部屋Ｒ内に前記各パネルボード４上に吹き出した冷・温風を吹き出して、室内の空気と置換して冷暖房する置換空調システムを構成して、前記両システムにより、部屋Ｒを冷・暖房できるように形成されている。
【００２１】
部屋Ｒを冷房する場合における置換空調冷房システムは、空気の温度差によって上昇気流が起る自然現象を利用し、床パネルＰの通気小孔５から床材７の通気小孔８を通して、室温より低い空気調和機２からの空調エアを部屋Ｒ内に吹き出すと、居住している人体、照明、室外からの侵入熱気等の室内負荷により、前記空調エアが加温され上昇気流となる。この上昇気流によって、空調された空気が、床面から今迄部屋Ｒにあった空気を天井Ｓまで持上げ、一方の壁３１に設けられた還流口３６から前記今迄部屋Ｒにあった空気を空気調和機室３３へ還流させて、空気調和機２が吸引して再利用するシステムである。
【００２２】
部屋Ｒを暖房する場合における置換空調暖房システムは、空気の温度差によって上昇気流が起る自然現象を利用し、床パネルＰの通気小孔５から床材７の通気小孔８を通して、室温より高い空気調和機２からの空調エアを部屋Ｒ内に吹き出すと、居住している人体、照明、室外からの侵入冷気等の室内負荷により、前記空調エアが冷却され上昇気流となる。この上昇気流によって、空調された空気が、床面から今迄部屋Ｒにあった空気を天井Ｓまで持上げ、一方の壁３１に設けられた還流口３６から前記今迄部屋Ｒにあった空気を空気調和機室３３へ還流させて、空気調和機２が吸引して再利用するシステムである。
【００２３】
そして、前記各パネルボード４の圧送通路１７を構成する十字状の圧送通路１７ａの中心の連結孔１９を介して、前記送気空間３内の冷・温風を前記十字状の圧送通路１７ａに圧送する圧送手段６は、特に限定する必要はないが、好ましくは、前記エアコンプレッサー３５からの圧縮空気により、冷・温風を吸引して圧送することができるエアインジェクター３７を用いることが好ましい。
【００２４】
前記エアインジェクター３７は、特に限定する必要はないが、好ましくは、図９に示すように形成することが推奨される。すなわち、下流側に通路を狭く絞ってベンチュリー３８を形成した一次空気流入管３９の外周面に、通気用の間隔を有して複数本の支持杆４０を突設すると共に、該各支持杆４０の先端に、拡開した二次空気流入口４１を開口した、前記一次空気流入管３９より径大の二次空気流入管４２を連結固定して形成されている。
【００２５】
そして、前記構成よりなるエアインジェクター３７の二次空気流入管４２の下流側が、連結管４３を介して前記各パネルボード４の連結孔１９に連結固定されると共に、一次空気流入管３９の上流側が、前記エアコンプレッサー３５からの圧縮空気を送気する分岐送気ゴムパイプ４４の下流側と連結されている。
【００２６】
すなわち、図１０に示すように、前記エアコンプレッサー３５の下流側には主送気ヘッダー４５が連結され、且つ該主送気ヘッダー４５には複数本の主送気ゴムパイプ４６の基端部が連結されると共に、該各主送気ゴムパイプ４６の下流側に分岐送気ヘッダー４７が連結され、更に該分岐送気ヘッダー４７には複数本の前記分岐送気ゴムパイプ４４の上流側部が連結され、更に該分岐送気ゴムパイプ４４の下流側が、前記ベンチュリー３８の一次空気流入管３９の上流側に連結されている。
【００２７】
前記部屋Ｒ内に設けられた床パネルＰ上には、前記各パネルボード４の通気小孔５と貫通する通気小孔８を穿設したタイルカーペットや布カーペット等の床材７が敷設され、またスラブ１上には断熱材４８が載置されて、送気空間３の断熱効果を図るよう形成されている。前記床材７は、前記床パネルＰを構成する各パネルボード４と同一大きさに形成してもよいし、またそれ以上の大きさに形成してもよく、その大きさは任意である。
【００２８】
前記本発明の第１の実施の形態より成る全空気方式床冷暖房装置の作用について説明する。部屋Ｒを冷房する場合は、空気調和機２により生成された冷風をダクト３０を介して送気空間３内に圧送すると、該送気空間３内に圧送された冷風が床パネルＰを構成する各パネルボード４を下面より冷却して、床パネルＰおよび床材７を冷却し、冷気を床材７を通して床放射して部屋Ｒを冷房する。
【００２９】
更に、前記送気空間３内の冷風が、空気調和機２の送風圧により、前記各パネルボード４の圧着部１８の各通気小孔５から床材７の通気小孔８を通って部屋Ｒ内に吹き出すと共に、前記送気空間３内に圧送された冷風は、エアコンプレッサー３５から圧縮空気をエアインジェクター３７に圧送することにより、該エアインジェクター３７で吸引されて圧送通路１７に圧送される。
【００３０】
すなわち、前記エアインジェクター３７の一次空気流入管３９に送気された冷風は、ベンチュリー３８によって風速が６倍程度に早められて、該一次空気流入管３９から排気されると、前記ベンチュリー３８の排気口外周付近が負圧になり、該ベンチュリー３８の周囲の送気空間３内の冷風を吸引して混合気流となって、高圧で二次空気流入口４１から二次空気流入管４２に流れ込み、更に下流側の連結管４３を介して各パネルボード４の中央の十字状の圧送通路１７ａ内に高圧で流入する。
【００３１】
前記各圧送通路１７ａ〜１７ｄの先方部には、圧着部１８ａ〜１８ｃがそれぞれ設けられて、前記各圧送通路１７ａ〜１７ｄの巾および方向が、空気の流通のある程度の障害となるよう形成されているため、流入空気が乱流混合を繰返して流通し、更に前記各パネルボード４を冷却する。そして、前記各パネルボード４の圧送通路１７内に高圧で流入した冷風は、該圧送通路１７上の通気小孔５から床材７の通気小孔８を通って部屋Ｒに吹き出し、室内の暖気と置換して部屋Ｒを冷房する。前記部屋Ｒ内に吹き出されなかった残りの冷風は、各パネルボード４の隅角部に穿設された排気孔２０より前記送気空間３内に排気される。
【００３２】
また、送気空間３に面した各パネルボード４を構成する下面板１５に放射枠状の圧送通路１７が下方へ突出して形成され、該圧送通路１７により前記パネルボード４の下面板１５の表面積が大となるため、前記送気空間３内に圧送された冷風との接触面積が大となって、また該空間部４内に圧送された冷風が乱流し、平均して前記各パネルボード４の下面部に接触して各パネルボード４を冷却することができる。
【００３３】
すなわち、送気空間３内に圧送された空気調和機２からの冷風により、床パネルＰを構成する各パネルボード４を下面より冷却して、床パネルＰおよび床材７を冷却し、該床パネルＰおよび床材７の冷気を部屋Ｒ内へ放射して、前記部屋Ｒを冷房する床放射冷房システムと、各通気小孔６・８を介して前記冷風を部屋Ｒ内に吹き出して、部屋Ｒの暖気と置換して、前記部屋Ｒを冷房する置換空調冷房システムとの組合せにより、部屋Ｒを冷房するものである。そして、前記部屋Ｒ内を冷房した後の空気は、還流口３６から空気調和機２が吸引して再利用される。
【００３４】
前記本発明の第１の実施の形態より成る全空気方式床冷暖房装置において、部屋Ｒを暖房する場合は、空気調和機２により生成された温風をダクト３０を介して送気空間３内に圧送すると、該送気空間３内に圧送された温風が床パネルＰを構成する各パネルボード４を下面よりに、床パネルＰおよび床材７を加温して、暖気を床材７を通して床放射して部屋Ｒを暖房する。
【００３５】
更に、前記送気空間３内の温風が、空気調和機２の送風圧により、前記各パネルボード４の圧着部１８の各通気小孔５から床材７の通気小孔８を通って部屋Ｒ内に吹き出すと共に、前記送気空間３内に圧送された温風は、エアコンプレッサー３５から圧縮空気をエアインジェクター３７に圧送することにより、該エアインジェクター３７で吸引されて圧送通路１７に圧送される。
【００３６】
すなわち、前記エアインジェクター３７の一次空気流入管３９に送気された温風は、ベンチュリー３８によって風速が６倍程度に早められて、該一次空気流入管３９から排気されると、前記ベンチュリー３８の排気口外周付近が負圧になり、該ベンチュリー３８の周囲の送気空間３内の温風を吸引して混合気流となって、高圧で二次空気流入口４１から二次空気流入管４２に流れ込み、更に下流側の連結管４３を介して各パネルボード４の中央の十字状の圧送通路１７ａ内に高圧で流入する。
【００３７】
前記各圧送通路１７ａ〜１７ｄの先方部には、圧着部１８ａ〜１８ｃがそれぞれ設けられて、前記各圧送通路１７ａ〜１７ｄの巾および方向が空気の流通のある程度の障害となるよう形成されているため、流入空気が乱流混合を繰返して流通し、更に前記各パネルボード４を加温する。そして、前記各パネルボード４の圧送通路１７内に高圧で流入した温風は、該圧送通路１７上の通気小孔５から床材７の通気小孔８を通って部屋Ｒに吹き出し、室内の冷気と置換して部屋Ｒを暖房する。前記部屋Ｒ内に吹き出されなかった温風は、各パネルボード４の隅角部に穿設された排気孔２０より前記送気空間３内に排気される。
【００３８】
また、送気空間３に面した各パネルボード４を構成する下面板１５に放射枠状の圧送通路１７が下方へ突出して形成され、該圧送通路１７により前記パネルボード４の下面板１５の表面積が大となるため、前記送気空間３内に圧送された温風との接触面積が大となって、また該空間部４内に圧送された温風が乱流し、平均して前記各パネルボード４の下面部に接触して各パネルボード４を加温することができる。
【００３９】
すなわち、送気空間３内に圧送された空気調和機２からの温風により、床パネルＰを構成する各パネルボード４を下面より加温して、床パネルＰおよび床材７を加温し、該床パネルＰおよび床材７の暖気を部屋Ｒ内へ放射して、前記部屋Ｒを暖房する床放射暖房システムと、各通気小孔６・８を介して前記温風を部屋Ｒ内に吹き出して、部屋Ｒの冷気と置換して、前記部屋Ｒを暖房する置換空調暖房システムとの組合せにより、部屋Ｒを暖房するものである。そして、前記部屋Ｒ内を暖房した後の空気は、還流口３６から空気調和機２が吸引して再利用される。
【００４０】
更に、図１１は本発明全空気方式床冷暖房装置の第２の実施の形態を示す概略縦断面図である。前記第１の実施の形態においては、圧送手段６がエアコンプレッサー３５とエアインジェクター３７により構成されているが、第２の実施の形態においては、室外に設置されたエアコンプレッサー３５に代って、送気空間３内に設置されたエアーポンプ５０が使用されている。前記エアコンプレッサー３５を使用する場合は、圧縮効率が高いので、冷暖房する面積が広い場所、例えば大型ビル等に用いられ、エアーポンプ５０を使用する場合は、圧縮効率がエアコンプレッサーほどではないので、冷暖房する面積が狭い場所、例えば小型ビル、一般住宅等に用いられる。
【００４１】
本発明の第２の実施の形態につき説明すると、送気空間３内には、高圧で圧送するエアポンプ５０が配設されると共に、前記エアポンプ５０の下流側には、該エアポンプ５０で吸引した冷・温風を各エアインジェクター３７の一次空気流入管３９へ高圧で圧送するための送気ガイド管５１の上流側が連結され、且つ下流側が前記一次空気流入管３９に連結されている。そして、前記エアポンプ５０とエアインジェクター３７の組合せより成る圧送手段６の作用および効果は、第１の実施の形態のものとほぼ同一であるので、詳細な説明は省略する。
【００４２】
【発明の効果】
本発明は上述のようであるから、空気調和機の冷・温風の空調エアを送気空間内に圧送して、床パネルを構成する各パネルボードの下面より冷却または加温し、該床パネルから冷気または暖気を部屋に放射する床放射冷暖房システムと、前記送気空間に圧送された空気調和機からの冷・温風の空調エアを、圧着部上の各通気小孔と、前記各パネルボードの圧送通路に圧送して、該圧送通路上の各通気小孔とから、床パネル上に敷設された床材に穿設された各通気小孔を通して部屋内に吹き出して、室内空気と置換して部屋を冷却または加温する置換空調冷暖房システムとを組合せたので、冷暖房効率がよい。
更に、部屋内に吹き出された冷・温風を使用して冷却または加温された後の使用済みエアは、還流口より空気調和機に還流し、再利用を図るので、電力の無駄な使用を抑えることができる。
【図面の簡単な説明】
【図１】本発明全空気方式床冷暖房装置の第１の実施の形態を示す概略縦断面図である。
【図２】本発明全空気方式床冷暖房装置におけるパネルボードの斜視図である。
【図３】本発明全空気方式床冷暖房装置におけるパネルボードの底面図である。
【図４】本発明全空気方式床冷暖房装置における支持脚とパネルボードの接合固定状態を示す縦断面図である。
【図５】図３のＡ−Ａ線で切断して、圧送手段を取付けた状態を示す縦断面図である。
【図６】図３のＢ−Ｂ線で切断して、圧送手段を取付けた状態を示す縦断面図である。
【図７】本発明全空気方式床冷暖房装置において、床材を取去ってパネルボードの接合状態を示す斜視図である。
【図８】本発明全空気方式床冷暖房装置において、床材と、パネルボードの接合状態を示す一部切欠き平面図である。
【図９】本発明全空気方式床冷暖房装置における圧送手段を構成するエアインジェクターの断面図である。
【図１０】本発明全空気方式床冷暖房装置における圧送手段を構成するエアコンプレッサーとエアインジェクターの連結状態を示す概略縦断面図である。
【図１１】本発明全空気方式床冷暖房装置の第２の実施の形態を示す概略縦断面図である。
【符号の説明】
Ｐ  床パネル、  Ｒ  部屋、  １ スラブ、  ２  空気調和機、  ３  送気空間、４  パネルボード、  ５  通気小孔、  ６  圧送手段、  ７  床材、  ８  通気小孔、  ９  支持脚、  １４  上面板、  １５  下面板、  １６  フランジ、１７  圧送通路、  １８  圧着部、  ２０  排気孔、  ３５  エアコンプレッサー、  ３７  エアインジェクター、  ５０  エアポンプ。
【図１】
0003699699.tif 000002
【図２】
0003699699.tif 000003
【図３】
0003699699.tif 000004
【図４】
0003699699.tif 000005
【図５】
0003699699.tif 000006
【図６】
0003699699.tif 000007
【図７】
0003699699.tif 000008
【図８】
0003699699.tif 000009
【図９】
0003699699.tif 000010
【図１０】
0003699699.tif 000011
【図１１】
0003699699.tif 000012